(57)【特許請求の範囲】
【請求項１】
モータによって真空ポンプが駆動されて前記真空ポンプの吸込側に接続された真空タンクの内部および前記真空タンクの吸込側に接続されたエアー通路の内部の空気が吸引され、前記エアー通路を介して前記真空タンクに接続されたハンダ吸取ノズルによって溶融状態のハンダを吸い取るハンダ吸取機において、
前記ハンダ吸取ノズルを支持するケーシング内に位置する前記エアー通路の中途部には、前記エアー通路を開閉する開閉弁が配設され、前記溶融状態のハンダの吸取りを開始するハンダ吸取スイッチは、先に前記モータを駆動させて、前記モータを駆動開始させた後に前記開閉弁を開放させることを特徴とするハンダ吸取機。
【請求項２】
前記モータは、駆動および停止を切り替えるマイクロスイッチに接続され、前記開閉弁は、弁体が閉鎖方向に付勢されていて前記エアー通路を閉鎖し、開放方向に押圧されると前記エアー通路を開放する構成であり、
前記ハンダ吸取スイッチは、操作方向に移動して前記マイクロスイッチを押圧して前記モータを駆動させると共に、前記弁体を押圧してエアー通路を開放する操作部材であり、
前記マイクロスイッチおよび弁体は、前記ハンダ吸取スイッチの操作方向における軌道上に設けられていて、前記マイクロスイッチとオフ状態の前記ハンダ吸取スイッチとの前記軌道上の距離は、前記弁体とオフ状態の前記ハンダ吸取スイッチとの前記軌道上の距離よりも短いことを特徴とする請求項１に記載のハンダ吸取機。
【請求項３】
前記ハンダ吸取スイッチに対する前記開閉弁の位置を可変とすることを特徴とする請求項２に記載のハンダ吸取機。
【請求項４】
前記開閉弁は、ケーシング内に収容され、前記ケーシング側に突出するピンを備えていて、前記ケーシングには、前記ピンが嵌合する凹部と、前記開閉弁側に突出して前記開閉弁の外殻部と当接するリブとが形成されていることを特徴とする請求項１乃至３のいずれかに記載のハンダ吸取機。
【請求項５】
前記真空タンクは、エアコネクタと一体化されていることを特徴とする請求項１乃至４のいずれかに記載のハンダ吸取機。
【発明の詳細な説明】
【技術分野】
【０００１】
本発明は、ハンダ吸取機に関する。
【背景技術】
【０００２】
従来、例えばプリント基板にダイオードやトランジスタ等の半導体素子を取り付ける際、ハンダが利用されるが、ハンダが所定接点からはみ出したとき、または、修理のためダイオードやトランジスタ等電子部品を取り除くときに、ハンダを取り除くためハンダ吸取機が用いられている。
【０００３】
一般に、ハンダ吸取機は、真空ポンプや該真空ポンプを駆動させるためのモータを収納する据置型の吸取機本体と、該吸取機本体とエアーチューブを介して接続されるとともに実際に作業員によって把持され、その先端のノズルがプリント基板等に押し当てられて余分なハンダを吸い取る吸取操作部とから構成されている（例えば、特許文献１参照）。
【先行技術文献】
【特許文献】
【０００４】
【特許文献１】特許第３０５１７０５号公報
【発明の概要】
【発明が解決しようとする課題】
【０００５】
しかしながら、従来のハンダ吸取機では、ハンダの吸取りを開始するトリガなどの操作部材であるハンダ吸取スイッチをオンとすると、真空ポンプを駆動させるためのモータのスイッチがオンとなるが、駆動開始した直後の真空ポンプは、その吸引力（真空度）が規定の値に達していなく、また均一でないため、ハンダをうまく吸取ることができず、操作が行いにくいという問題があった。
【０００６】
本発明は、上述する問題点に鑑みてなされたもので、ハンダ吸取スイッチの操作部材のオン操作を完了した時点でハンダを効率よく吸取ることができるハンダ吸取機を提供することを目的とする。
【課題を解決するための手段】
【０００７】
上記目的を達成するため、本発明に係るハンダ吸取機は、モータによって真空ポンプが駆動されて前記真空ポンプの吸込側に接続された真空タンクの内部および前記真空タンクの吸込側に接続されたエアー通路の内部の空気が吸引され、前記エアー通路を介して前記真空タンクに接続されたハンダ吸取ノズルによって溶融状態のハンダを吸い取るハンダ吸取機において、前記ハンダ吸取ノズルを支持するケーシング内に位置する前記エアー通路の中途部には、前記エアー通路を開閉する開閉弁が配設され、前記溶融状態のハンダの吸取りを開始するハンダ吸取スイッチは、先に前記モータを駆動させて、前記モータを駆動開始させた後に前記開閉弁を開放させることを特徴とする。
【０００８】
本発明では、エアー通路の中途部には、エアー通路を開閉する開閉弁が配設され、溶融状態のハンダの吸取りを開始するハンダ吸取スイッチは、モータを駆動させて、モータを駆動開始させた後に開閉弁を開放させている。これにより、開閉弁が開放された時点では、既にモータが駆動していて、真空ポンプおよび真空タンクの吸引力、並びにエアー通路を介して真空タンクに接続されたハンダ吸取ノズルの吸引力が、ハンダを吸引するために必要な吸引力のレベルに達しているようにできるので、ハンダの吸取りを良好な状態で行うことができる。
また、真空ポンプの駆動と、開閉弁の開放を一連の動作として１つのスイッチで行うことができるので、作業が行いやすい。
また、真空ポンプと開閉弁との間に真空タンクを備えていることにより、大きな吸引力を長く維持することができる。
【０００９】
また、本発明に係るハンダ吸取機では、前記モータは、駆動および停止を切り替えるマイクロスイッチに接続され、前記開閉弁は、弁体が閉鎖方向に付勢されていて前記エアー通路を閉鎖し、開放方向に押圧されると前記エアー通路を開放する構成であり、前記ハンダ吸取スイッチは、操作方向に移動して前記マイクロスイッチを押圧して前記モータを駆動させると共に、前記弁体を押圧してエアー通路を開放する操作部材であり、前記マイクロスイッチおよび弁体は、前記ハンダ吸取スイッチの操作方向における軌道上に設けられていて、前記マイクロスイッチとオフ状態の前記ハンダ吸取スイッチとの前記軌道上の距離は、前記弁体とオフ状態の前記ハンダ吸取スイッチとの前記軌道上の距離よりも短いことが好ましい。
【００１０】
本発明では、マイクロスイッチおよび弁体は、ハンダ吸取スイッチの操作方向における軌道上に設けられていて、マイクロスイッチとオフ状態のハンダ吸取スイッチとの軌道上の距離は、弁体とオフ状態のハンダ吸取スイッチとの軌道上の距離よりも短いことにより、ハンダ吸取スイッチは、操作方向に移動すると、まず、マイクロスイッチを押圧してモータおよび真空ポンプを駆動させ、その後に、弁体を押圧してエアー通路を開放することになる。これにより、開閉弁がエアー通路を開放した時点で、真空ポンプおよび真空タンクの吸引力、並びにエアー通路を介して真空タンクに接続されたハンダ吸取ノズルの吸引力がハンダを吸引するために必要な吸引力のレベルに達しているようにできるので、ハンダの吸取りを良好な状態で行うことができる。
また、真空ポンプの駆動と、開閉弁の開放を一連の動作として１つの操作部材で行うことができるので、作業が行いやすい。
【００１１】
また、本発明に係るハンダ吸取機では、前記ハンダ吸取スイッチに対する前記開閉弁の位置は可変とすることが好ましい。
【００１２】
本発明では、ハンダ吸取スイッチに対する開閉弁の位置は可変とすることにより、開閉弁の弁体とオフ状態のハンダ吸取スイッチとの距離を調整できる。これにより、ハンダ吸取スイッチのオン操作の際に、ハンダ吸取スイッチがマイクロスイッチを押圧してから弁体を押すまでの時間を調整することができる。
また、モータや真空ポンプ、真空タンクなどを交換した際にも、ハンダの吸取りを良好な状態で行うことができるように調整することができる。
また、使用者に合わせてハンダ吸取りスイッチがマイクロスイッチを押圧してから弁体を押すまでの時間を調整することができる。
【００１３】
また、本発明に係るハンダ吸取機では、前記開閉弁は、ケーシング内に収容され、前記ケーシング側に突出するピンを備えていて、前記ケーシングには、前記ピンが嵌合する凹部と、前記開閉弁側に突出して前記開閉弁の外殻部と当接するリブとが形成されていてもよい。
【００１４】
本発明では、開閉弁は、ケーシング内に収容され、前記ケーシング側に突出するピンを備えていて、前記ケーシングには、前記ピンが嵌合する凹部と、前記開閉弁側に突出して前記開閉弁の外殻部と当接するリブとが形成されていることにより、開閉弁の位置が保持され、開閉弁がケーシングから脱落したり、位置ずれしたりすることを防ぐことができる。
【００１５】
また、本発明に係るハンダ吸取機では、前記真空タンクは、エアコネクタと一体化されていてもよい。
【００１６】
本発明では、真空タンクは、エアコネクタと一体化されていることにより、ハンダ吸取機をコンパクトな形状とすることができる。
【発明の効果】
【００１７】
本発明によれば、真空ポンプおよび真空タンクの吸引力、並びにエアー通路を介して真空タンクに接続されたハンダ吸取ノズルの吸引力がハンダを吸引するために必要な吸引力のレベルに達した後に、ハンダの吸取りを開始するようにできるので、安定したハンダの吸取りを実現することができると共に、真空ポンプの駆動と、開閉弁の開放を一連の動作として１つのスイッチで行うことができて操作が行いやすい。
【図面の簡単な説明】
【００１８】
【図１】（ａ）は本発明の実施の形態によるハンダ吸取機の一例を示す斜視図、（ｂ）は（ａ）のＡ−Ａ線断面図である。
【図２】図１に示すハンダ吸取機のモータおよびダイヤフラム式のポンプとそれを支持するサブフレームを示す斜視図である。
【図３】吸取操作部を示す分解斜視図である。
【図４】（ａ）は開閉弁の閉鎖状態を説明する図、（ｂ）は開閉弁の開放状態を示す図である。
【図５】図３のＢ−Ｂ線断面図で開閉弁とケーシングの関係を説明する図である。
【図６】（ａ）、（ｂ）、（ｃ）はハンダ吸取スイッチの動作を説明する図である。
【図７】ハンダ吸取りスイッチをオンとした後の時間経過と真空ポンプの真空到達度（吸引力）の関係を示す図である。
【発明を実施するための形態】
【００１９】
以下、本発明の実施の形態によるハンダ吸取機１について、図１乃至図６に基づいて説明する。
図１（ａ）に示すように、本実施の形態によるハンダ吸取機１は、ツインのダイヤフラム式のポンプ（真空ポンプ）２、２（図２参照）およびそれらダイヤフラム式のポンプ２を駆動させるためのモータ３を収納する据置型の吸取機本体５と、実際に作業員によって把持され、その先端が図示しないプリント基板等に押し当てられて余分なハンダを吸い取る吸取操作部６とから構成されている。そして、図１に示すように、吸取操作部６は、吸取機本体５とエアーチューブ７および電気配線８を介して接続されている。
【００２０】
吸取機本体５について説明すると、吸取機本体５のケーシング１０の底部１０ａには、サブフレーム１１がその両端部をゴム製の脚部１２を介して支持されており、図２に示すように、サブフレーム１１には前記ダイヤフラム式のポンプ２及びモータ３が一体に組み付けられている。
【００２１】
ダイヤフラム式のポンプ２は、開閉状態が繰り返されながら空気を吸い込む周知の構成のものであって、左右とも同一構成である。ダイヤフラム式のポンプ２は、図２に示すように、柔軟性材料からなる有底筒状のダイヤフラム１５をそれぞれ備えていて、左右のダイヤフラム１５の底部にはそれぞれ駆動ロッド２１、２１が連結され、それら駆動ロッド２１、２１の他端にはリング部２２，２２が形成されている。両リング部２２、２２は上下方向にずれた状態で互いに同心状に配置されていて、それらにはロッド２３が回転自在に嵌挿されている。そして、ロッド２３の上端は偏心駒２４の端部に嵌挿され、偏心駒２４の中央部分にはモータ３の出力軸３ａが一体に回転するように挿入固定されている。
【００２２】
上記駆動ロッド２１、ロッド２３、及び偏心駒２４はモータ３の回転をダイヤフラム式のポンプ２に伝える動力伝達系２９を構成しており、仮に、モータ３が駆動されて出力軸３ａが回転されると、偏心駒２４が回転されこれにより駆動ロッド２１，２１を介して左右のダイヤフラム１５，１５が交互に凹凸変形されてダイヤフラム式のポンプ２を駆動するようになっている。つまり、それらのダイヤフラム式のポンプ２は、いずれか一方のダイヤフラム式のポンプ２が「開」状態のときに他方のダイヤフラム式のポンプ２が「閉」状態になるように駆動される。なお、モータ３は従来用いられいるものと同様な構造のものが用いられる。
【００２３】
モータ３が駆動すると、偏心駒２４が回転し、該偏心駒２４にモータ３の出力軸３ａに対して偏心して取り付けられているロッド２３が公転し、その結果、駆動ロッド２１が左右後方に往復動する。この結果、左右のダイヤフラム式のポンプ２，２が駆動されて、ダイヤフラム式のポンプ２の吸込側からはエアーが吸い込まれる。
ダイヤフラム式のポンプ２の吸込側には、エアーチューブ３０ａを介してエアー室３１に接続され、エアー室３１の吸込側には、エアコネクタを兼ねる真空タンク３２が接続されている。図１（ｂ）に示すように、真空タンク３２は、吸取機本体５の外側に取り付けられていて、エアコネクタ部３２ａと、真空タンク部３２ｂを備えている。
なお、エアコネクタ部３２ａを備える真空タンク３２としなくてもよく、エアコネクタと真空タンクとを個別に設けてもよい。真空タンク３２は、例えば、吸取機本体５と吸取操作部６との間に設けられていてもよいし、吸取機本体５や吸取操作部６に内蔵されてもよい。
本実施の形態では、真空タンク３２は、吸取機本体５の外側に取り付けられているので、邪魔にならずハンダ吸取機１をコンパクトな形状とすることができる。
図１（ａ）に示すように、真空タンク３２の吸込側には、エアーチューブ７を介して吸取操作部６が接続されているので、結果として、吸取操作部６の先端からエアーとともにハンダが吸い取られる。
【００２４】
図３に示すように、吸取操作部６は、内部にヒータが組み込まれかつ中心軸心に沿って吸取孔が設けられた先細状のノズル４１と、該ノズル４１の基端側に接続されたフィルタ４２と、フィルタ４２から吸取操作部６本体内を通りエアーチューブ７に接続されるエアー通路４３と、ヒータのＯＮ／ＯＦＦを操作する図示しないヒータ用スイッチと、ハンダの吸取のＯＮ（開始）／ＯＦＦ（停止）を操作するトリガ状のハンダ吸取スイッチ４４と、ハンダ吸取スイッチ４４に押圧されてモータ３（図２参照）を駆動させるマイクロスイッチ４５と、この他ハンダ吸取機１の動き（例えば、ノズル４１に組み込まれたヒータの温度制御等）を制御するための図示しない種々の電子部品と、上述した部材の一部または全部が収納されるケーシング４６とから概略構成されている。
【００２５】
ノズル４１は、先端部がヒータにより加熱された状態で、除去しようとするハンダに押しつけられ、余分なハンダをエアーとともに吸い込む構造で、吸い込まれたハンダは、フィルタ４２に貯溜される。
【００２６】
エアー通路４３は、その中途部にエアー通路４３を開閉する開閉弁５１を備えている。ここで、開閉弁５１よりもフィルタ４２側のエアー通路４３を第一のエアー通路４３ａとし、開閉弁５１よりもエアーチューブ７側のエアー通路４３を第二のエアー通路４３ｂとする。
図４（ａ）に示すように、開閉弁５１は、内部に空間５２が形成された外殻部５３と、外殻部５３に連結されていて第一のエアー通路４３ａが接続される管状の第一の接続部５４と、外殻部５３と連結されていて第二のエアー通路４３ｂが接続される管状の第二の接続部５５と、外殻部５３内部の空間５２を２つに遮断可能な弁部５６と、弁部５６を閉鎖方向に付勢するバネ部材５７とを備えている。第一の接続部５４および第二の接続部５５の内部５４ａ、５５ａは外殻部５３内部と連通している。
【００２７】
外殻部５３は、開口部６１ａが形成された本体６１と、この開口部６１ａを塞ぐ蓋６２とからなり、本体６１に第二の接続部５５が連結されて、蓋６２に第一の接続部５４が連結されている。
本体６１の内周面には、第二の接続部５５と開口部６１ａとの間に、第二の接続部５５側から開口部６１ａ側に向って径寸法が大きくなるテーパ面６３が形成されている。
また、本体６１と蓋６２との間には、Ｏリングやゴムなどの気密部材６４が設置され、本体６１と蓋６２とは密着している。
【００２８】
弁部５６は、バネ部材５７に付勢されて本体６１のテーパ面６３と当接可能な弁体６６と、弁体６６からバネ部材５７の付勢方向（図中の矢印の方向）Ａに突出する軸部材６７とから構成される。
弁体６６は、テーパ面６３と対向する面６６ａに、Ｏリングやゴムなどの気密部材６８が設置されていて、バネ部材５７に付勢された弁体６６は、気密部材６８を介してテーパ面６３と密着している。そして、弁体６６は、テーパ面６３に密着することにより、外殻部５３内部の空間５２を、第一の接続部５４側の空間と、第二の接続部５５側の空間に遮断している。
【００２９】
軸部材６７は、棒状の部材で、弁体６６と反対側の端部６７ａが、外殻部５３から突出している。外殻部５３には軸部材６７が貫通する貫通孔が形成されている。
軸部材６７は、端部６７ａを軸方向（付勢方向Ａの逆方向）に押圧されると、外殻部５３内部の弁体６６もこの方向に押圧され、図４（ｂ）に示すように、弁体６６は、テーパ面６３と離間し、外殻部５３の内部の空間５２の遮断が解除され、開閉弁５１が開放される。これにより、第一の接続部５４と第二の接続部５５とが連通する。このときのエアーの流れは図中の矢印の流れとなる。
【００３０】
図５に示すように、外殻部５３の本体６１の外周には、両ケーシング４６側に突出するピン６１ｂが形成されている。また、ケーシング４６には、ピン６１ｂが嵌合する凹部４６ａが形成されている。
また、ケーシング４６には、外殻部５３の蓋６２と当接するリブ４６ｂが突出して形成されている。蓋６２は、第一の接続部５４の連結部が第一の接続部５４側に突出した突出部６２ａとなっており、この突出部６２ａの側面にリブ４６ｂが当接している。
このように、外殻部５３本体６１のピン６１ｂが、ケーシング４６の凹部４６ａに嵌合し、ケーシング４６のリブ４６ｂが蓋６２と当接することによって、開閉弁５１の位置が保持され、開閉弁５１がケーシング４６から脱落したり、位置ずれしたりすることを防ぐことができる。
【００３１】
図３および図６（ａ）に示すように、ハンダ吸取スイッチ４４は、ケーシング４６を把持する作業員に押圧されることによってマイクロスイッチ４５および開閉弁５１の軸部材６７を押圧するトリガ状に形成されている。
図６（ａ）に示すように、ハンダ吸取スイッチ４４は、ケーシング４６に回転可能に保持された回転軸７１と、作業員に押圧される被押圧部７２と、マイクロスイッチ４５を押圧する第一の押圧部７３と、開閉弁５１の軸部材６７の端部６７ａを押圧する第二の押圧部７４とを備えている。
【００３２】
マイクロスイッチ４５は、回転軸７１を中心に回転するハンダ吸取スイッチ４４の第一の押圧部７３の軌道上に設置されている。図６（ｂ）に示すように、マイクロスイッチ４５は、操作方向Ｂに回転した第一の押圧部７３に押圧されることで、スイッチがオンとなり、モータ３（図１参照）を回転させてダイヤフラム式のポンプ２（図２参照）を駆動させる。
また、開閉弁５１の軸部材６７の端部６７ａは、回転軸７１を中心に回転するハンダ吸取スイッチ４４の第二の押圧部７４の軌道上に設置されている。図６（ｃ）に示すように、開閉弁５１の軸部材６７が、操作方向Ｂに回転した第二の押圧部７４に押圧されることで、弁体６６も押圧され、軸部材６７および弁体６６が軸方向（バネ部材５７の付勢方向Ａと逆の方向）に移動し、弁体６６が外殻部５３と離間して第一の接続部５４と、第二の接続部５５とが連通する。
【００３３】
このとき、ハンダ吸取スイッチ４４がオフの状態における第一の押圧部７３とマイクロスイッチ４５との回転軌道上の距離は、第二の押圧部７４と軸部材６７の端部６７ａとの回転軌道上の距離よりも短く、ハンダ吸取スイッチ４４をオンとすると、まず、第一の押圧部７３がマイクロスイッチ４５を押圧してオンとする。そして、これに遅れて第二の押圧部７４が軸部材６７の端部６７ａを押圧して、エアー通路４３を連通させる。
【００３４】
ここで、開閉弁５１は、ケーシング４６内の設置位置を調整できる構成としてもよい。この場合、ケーシング４６に凹部４６ａやリブ４６ｂを複数設けておき、開閉弁５１の設置位置にあわせて最適な凹部４６ａやリブ４６ｂを選択してもよい。また、ケーシング４６に凹部４６ａやリブ４６ｂを設けずに、任意の位置に開閉弁５１を固定具などで固定してもよい。
また、ケーシング４６内の第二の押圧部７４の回転軌道に沿ったガイドを設け、開閉弁５１をガイドに沿って移動可能とすると共にガイド上の任意の位置に固定具などで固定できる構成としてもよい。このとき、開閉弁５１の移動と任意の位置への固定は、ケーシング４６の外部から行うことができる構成としてもよい。
【００３５】
次に、本実施の形態のハンダ吸取機１によるハンダ吸取り方法について説明する。
まず、図示せぬメインスイッチをオンにすると、ヒータにより吸取操作部６のノズル４１が加熱され、その先端の温度がハンダを溶融できる程度まで上昇する。ノズル４１の先端を対象となるハンダに押し当て、ハンダを溶融する。
【００３６】
続いて、この状態でハンダ吸取スイッチ４４の被押圧部７２を押圧し、ハンダ吸取スイッチ４４を回転軸７１を中心に回転させる。すると、まず、第一の押圧部７３がマイクロスイッチ４５を押圧して、モータ３が駆動し、ダイヤフラム式のポンプ２，２が駆動する。そして、ダイヤフラム式のポンプ２の吸込側からは真空タンク３２のエアーが吸い込まれ、エアーチューブ７および第二のエアー通路４３ｂのエアーも吸い込まれる。
そして、ハンダ吸取スイッチ４４を更に回転させ、第二の押圧部７４で軸部材６７の端部６７ａを押圧し、開閉弁５１を開放してエアー通路４３を連通させる。
そして、ダイヤフラム式のポンプ２が駆動してエアーを吸い取り、開閉弁５１が開放されたことにより、ノズル４１の先端からエアーとともに溶融したハンダが吸い取られる。
このとき、開閉弁５１は、モータ３の駆動に遅れて開放されるので、開閉弁５１が開放された時点ではダイヤフラム式のポンプ２，２の吸引力がハンダを吸引するために必要な吸引力のレベルに達していて、ノズル４１の真空度が一気に高くなり、吸引力が増大する。
ハンダの吸取りが完了したら、作業員がハンダ吸取りスイッチ４４の押圧を解除する。これにより、図６（ａ）に示すように、弁体６６がテーパ面６３と接触して開閉弁５１が閉鎖されると共に、マイクロスイッチ４５がオフとなりモータ３の駆動が停止する。
【００３７】
ここで、図７に本実施の形態によるハンダ吸取機１におけるハンダ吸取スイッチ４４のオン操作を開始した時点からの経過時間と、エアー室３１（図１参照）およびノズル（図１参照）４１の真空度との関係を示す。図中のＬ１はエアー室３１の真空度を示し、Ｌ２は、ノズルの真空度を示す。
図７から、エアー室３１は、ハンダ吸取スイッチ４４の操作が開始され、モータ３が駆動した時点から時間経過と共に徐々に真空度が増加し、０．４秒程経過した後に真空度が安定すると共に最適値付近に達していることがわかる。これに対し、開閉弁５１がモータ３の駆動開始よりも約０．２秒後に開放されるので、ノズル４１の真空度は、開閉弁５１を開放した直後に急速に増加して安定すると共に、最適値に達していることがわかる。
【００３８】
本実施の形態では、ハンダ吸取スイッチ４４は、オン操作を開始した約０．０５秒後にマイクロスイッチ４５を押圧し、その約０．２秒後に軸部材６７（図４参照）を押圧して開閉弁５１を開放するように、ハンダ吸取スイッチ４４、マイクロスイッチ４５、開閉弁５１の位置を調節している。このように、ハンダ吸取スイッチ４４、マイクロスイッチ４５、開閉弁５１（軸部材６７）の位置を調節することで、ノズル４１は、真空度が一気に上がり、ハンダの吸引に必要な吸引力でハンダの吸取りを行うことができる。
なお、ダイヤフラム式のポンプ（真空ポンプ）２により、モータ３を駆動させた後、真空度が最適値に達するまでの時間は異なるので、個々の真空度が最適値に達するまでの時間に合わせてハンダ吸取スイッチ４４、マイクロスイッチ４５、開閉弁５１の位置を調節すればよい。
【００３９】
上述した本実施の形態によるハンダ吸取機１では、ハンダ吸取スイッチ４４は、マイクロスイッチ４５を押圧してモータ３を駆動させた後に、軸部材６７を押圧して開閉弁５１を開放するので、開閉弁５１が開放された時点で、ダイヤフラム式のポンプ２は所定の真空到達度に達しているため、吸引力（真空度）がハンダを吸引するために必要な吸引力のレベルに達した状態でハンダを吸い込むことができる効果を奏する。
また、モータ３の駆動と、開閉弁５１の開放を一連の動作として１つのトリガ状のハンダ吸取スイッチ４４の操作で行うことができるので、作業が行いやすい。
また、真空タンク３２を備えていることにより、大きな吸引力を長く維持することができる。
【００４０】
以上、本発明による実施の形態について説明したが、本発明は上記の実施の形態に限定されるものではなく、その趣旨を逸脱しない範囲で適宜変更可能である。
例えば、上述した実施の形態では、ハンダ吸取スイッチ４４は、回転軸７１を中心に回転するトリガ状に形成されているが、直線上を移動してマイクロスイッチ４５および開閉弁５１の軸部材６７を押圧するトリガ状に形成されていてもよい。
また、上記の実施の形態では、ハンダ吸取スイッチ４４は、吸取操作部６に設けられたトリガであるが、トリガに代わって、例えば、作業員が脚で踏むことでマイクロスイッチ４５をオンとし、これに遅れて開閉弁５１を開閉するスイッチとしてもよい。
【００４１】
また、上記の実施の形態では、モータ３の駆動をマイクロスイッチ４５で行っているが、マイクロスイッチ４５に代わって、近接スイッチなどの他のスイッチとしてもよい。
また、上記の実施の形態では、外殻部５３の本体６１の外周には、ピン６１ｂが形成されて、ケーシング４６には、ピン６１ｂが嵌合する凹部４６ａが形成されているが、開閉弁５１が脱落したり、ずれたりすることが防止されていれば、ピン６１ｂおよび凹部４６ａは形成されていなくてもよい。また、ケーシング４６の外殻部５３の蓋６２と当接するリブ４６ｂも形成されていなくてもよい。
【符号の説明】
【００４２】
１  ハンダ吸取機
２  ダイヤフラム式のポンプ（真空ポンプ）
３  モータ
３２  真空タンク
４１  ノズル
４３  エアー通路
４３ａ  第一のエアー通路（エアー通路）
４３ｂ  第二のエアー通路（エアー通路）
４４  ハンダ吸取スイッチ
４５  マイクロスイッチ
４６  ケーシング
５１  開閉弁
７３  第一の押圧部
７４  第二の押圧部
【図１】
0005538041.tif 000002
【図２】
0005538041.tif 000003
【図３】
0005538041.tif 000004
【図４】
0005538041.tif 000005
【図５】
0005538041.tif 000006
【図６】
0005538041.tif 000007
【図７】
0005538041.tif 000008